【事件の表示】
　特願２０００−３８６０５４「画像信号伝送方法及び装置、並びに画像信号復号化方法及び装置」拒絶査定に対する審判事件〔平成１３年　６月２９日出願公開、特開２００１−１７７８４１、請求項の数（４）〕について、次のとおり審決する。
【結　論】
　原査定を取り消す。
　本願の発明は、特許すべきものとする。
【理　由】
１．本願発明
　本願は、平成６年３月１５日（優先権主張平成５年３月１５日）に出願した特願平６−４４２０２号の一部を平成１２年１２月１９日に新たな特許出願としたものであって、その請求項１ないし４に係る発明（以下、「本願発明」という。）は、平成１５年８月４日付けの手続補正書により補正された明細書および図面の記載からみて、次のとおりのものである。
　「【請求項１】　画像信号を、複数のフレームからなるグループにグループ化し、フレームを符号化の単位として符号化を行い、伝送する画像信号伝送方法において、
　上記グループ内の複数のフレームの一部を第１のフレーム群、上記グループ内の複数のフレームの上記一部以外を第２のフレーム群とし、
　上記第１のフレーム群を、それぞれ上記第１のフレーム群を予測画像として前方予測符号化又はイントラ符号化を行って、第１ビットストリームを生成するステップと、
　上記第２のフレーム群を、それぞれ上記第１のフレーム群を予測画像として両方向予測符号化を行って、第２ビットストリームを生成するステップと、
　上記第１ビットストリームと上記第２ビットストリームとを分離し、それぞれ並列に伝送するステップと
　を有することを特徴とする画像信号伝送方法。
　【請求項２】　画像信号を、複数のフレームからなるグループにグループ化し、フレームを符号化の単位として符号化を行い、伝送する画像信号伝送装置において、
　上記グループ内の複数のフレームの一部を第１のフレーム群、上記グループ内の複数のフレームの上記一部以外を第２のフレーム群とし、
　上記第１のフレーム群を、それぞれ上記第１のフレーム群を予測画像として前方予測符号化又はイントラ符号化を行って、第１ビットストリームを生成する手段と、
　上記第２のフレーム群を、それぞれ上記第１のフレーム群を予測画像として両方向予測符号化を行って、第２ビットストリームを生成する手段と、
　上記第１ビットストリームと上記第２ビットストリームとを分離し、それぞれ並列に伝送する手段と
　を備えることを特徴とする画像信号伝送装置。
　【請求項３】　画像信号を複数のフレームからなるグループにグループ化し、フレームを符号化の単位とし、上記グループ内の複数のフレームの一部を第１のフレーム群、上記グループ内の上記第１のフレーム群以外を第２のフレーム群としたときに、上記第１のフレーム群をそれぞれ上記第１のフレーム群を予測画像として前方予測符号化又はイントラ符号化を行って、第１ビットストリームが生成され、上記第２のフレーム群をそれぞれ上記第１のフレーム群を予測画像として両方向予測符号化を行って、第２ビットストリームが生成され、それぞれ並列に伝送されたビットストリームを復号化する画像信号復号化方法において、
　それぞれ並列に伝送された上記第１ビットストリームと上記第２ビットストリームとを組み合わせるステップと、
　上記第１ビットストリームをそれぞれ上記第１ビットストリームを予測画像として前方予測復号化又はイントラ復号化を行って、第１ビットストリームを復号するステップと、
　上記第２ビットストリームをそれぞれ上記第１ビットストリームを予測画像として両方向予測復号化を行って、第２ビットストリームを復号するステップと
　を有することを特徴とする画像信号復号化方法。
　【請求項４】　画像信号を複数のフレームからなるグループにグループ化し、フレームを符号化の単位とし、上記グループ内の複数のフレームの一部を第１のフレーム群、上記グループ内の上記第１のフレーム群以外を第２のフレーム群としたときに、上記第１のフレーム群をそれぞれ上記第１のフレーム群を予測画像として前方予測符号化又はイントラ符号化を行って、第１ビットストリームが生成され、上記第２のフレーム群をそれぞれ上記第１のフレーム群を予測画像として両方向予測符号化を行って、第２ビットストリームが生成され、それぞれ並列に伝送されたビットストリームを復号化する画像信号復号化装置において、
　それぞれ並列に伝送された上記第１ビットストリームと上記第２ビットストリームとを組み合わせる手段と、
　上記第１ビットストリームをそれぞれ上記第１ビットストリームを予測画像として前方予測復号化又はイントラ復号化を行って、第１ビットストリームを復号する手段と、
　上記第２ビットストリームをそれぞれ上記第１ビットストリームを予測画像として両方向予測復号化を行って、第２ビットストリームを復号する手段と
　を備えることを特徴とする画像信号復号化装置。」
　
２．引用例
　当審の拒絶理由で引用した刊行物であるSignal Processing ： Image Communication 5 (1993)　p.185-198 (February 1-2，1993）「Interlaced video coding with field-based muliresolution representation」（以下、「引用例１」という。）、画像電子学会誌、20[4]（1991.8.25）p.340-345「インターレース画像符号化の検討」（以下、「引用例２」という。）、特開平４−３６８３号公報（以下、「引用例３」という。）には、次のことが記載されている。
　引用例１（Fig.３(２)及びFig.４を参照）には、偶数フィールドにおいて自フィールドを予測画像として符号化を行って第１のビットストリームを生成し、奇数フィールドにおいて前記偶数フィールドを予測画像として符号化を行って第２のビットストリームを生成することが記載されている。
　引用例２（図３参照））には、第１フィールドのみＭＰＥＧ１方式で符号化し、第２フィールドは第１フィールドより双方向予測符号化することが記載されている。また、時間的サンプリングの異なる第１フィールドと第２フィールドの画像を組み合わせてフレームを構成した後、ＭＰＥＧ１方式で符号化することが記載されている。
　引用例３には、予測誤差信号の低周波成分を含む領域と高周波領域を含む領域とに分離し、前記低周波成分を含む領域を優先度の高い可変速度チャネルで伝送し、前記高周波領域を含む領域を優先度の低い可変速度チャネルで伝送することが記載されている。
　
３．本願発明と引用例との対比・判断
　本願発明と引用例１ないし３を対比・検討すると、引用例１ないし３には、次に掲げる本願発明の主要な事項の記載も示唆もない。
　
　「画像信号を複数のフレームからなるグループにグループ化し、フレームを符号の単位として符号化を行うものにおいて、上記グループ内を第１・第２の２つのフレーム群とし、第１のフレーム群から第１のフレーム群を予測画像して符号化を行い第１のビットストリームを生成し、第２のフレーム群から第１のフレーム群を予測画像として符号化を行い第２のビットストリームを生成し、それぞれ並列に伝送する」点。
　
　これにより、「第１ビットストリームのみを復号した場合は、メモリ量は削減されるが、時間解像度の低い画像が得られ、第２ビットストリームを復号したものを加えることにより時間解像度の高い画像が得られ、メモリ量の異なるデコーダでそれぞれデコードが可能である」といった引用例１ないし３にはない顕著な効果を有している。
　
４．むすび
　したがって、本願発明は引用例１ないし３の記載に基いて当業者が容易に発明することができたとする原査定の理由によっては、拒絶することはできない。
　また、他に本願発明を拒絶する理由を発見しない。
　よって、結論のとおり審決する。